(57)【要約】【課題】  本発明は簡単に持ち運ぶことができ、使用したい時に、簡単で、かつ安定した状態で位置させて使用することができるとともに、持ち運び時にポケットの飾りやペンダントトップとしても使用することができる鼻眼鏡を得るにある。【解決手段】  鼻眼鏡本体と、この鼻眼鏡本体の一方の端部のフレームより外方へ突出するように一体あるいは固定的に形成された装飾を施した取っ手と、この取っ手の背面に形成されたポケット等へ挟着固定することができるクリップとで鼻眼鏡を構成している。【選択図】  図５
2008292781.tif 000002
【特許請求の範囲】
【請求項１】
鼻眼鏡本体と、この鼻眼鏡本体の一方の端部のフレームより外方へ突出するように一体あるいは固定的に形成された装飾を施した取っ手と、この取っ手の背面に形成されたポケット等へ挟着固定することができるクリップとからなることを特徴とする鼻眼鏡。
【請求項２】
クリップは取っ手の外側端部より内側方向へ挟着空間を有するように曲げられた挟着片と、この挟着片あるいは取っ手の背面に取付けられた弾性挟着片とで構成されていることを特徴とする請求項１記載の鼻眼鏡。
【請求項３】
装飾を施した取っ手は鼻眼鏡本体と重なり合う用に回動可能に取り付けられクリップを兼用していることを特徴とする請求項１記載の鼻眼鏡。
【発明の詳細な説明】
【技術分野】
【０００１】
本発明は鼻眼鏡に関する。
【背景技術】
【０００２】
従来の鼻眼鏡はつるがないので、フレームの端を指先でつかんで使用しているが、収納保管はケース体に収納したり、各種の窓口に設置したケースに収納している。
【０００３】
このため、持ち運びに不便で、ほとんど、使用する場所に設置した状態で使用しなければならないという欠点があった。
【特許文献１】特になし
【発明の開示】
【発明が解決しようとする課題】
【０００４】
本発明は以上のような従来の欠点に鑑み、簡単に持ち運ぶことができ、使用したい時に、簡単で、かつ安定した状態で位置させて使用することができるとともに、持ち運び時にポケットの飾りやペンダントトップとしても使用することができる鼻眼鏡を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は鼻眼鏡本体と、この鼻眼鏡本体の一方の端部のフレームより外方へ突出するように一体あるいは固定的に形成された装飾を施した取っ手と、この取っ手の背面に形成されたポケット等へ挟着固定することができるクリップとで鼻眼鏡を構成している。
【発明の効果】
【０００７】
以上の説明から明らかなように、本発明にあっては次に列挙する効果が得られる。
【０００８】
（１）鼻眼鏡本体と、この鼻眼鏡本体の一方の端部のフレームより外方へ突出するように一体あるいは固定的に形成された装飾を施した取っ手と、この取っ手の背面に形成されたポケット等へ挟着固定することができるクリップとで構成されているので、万年筆と同じようにポケットの縁部にクリップで挟着して持ち運び、使用したい時に簡単に取り出して使用することができる。
【０００９】
（２）前記（１）によって、鼻眼鏡本体の一方の端部のフレームより外方へ突出するように一体あるいは固定的に形成された取っ手は、確実に指先でつかむことができ、安定した状態で使用することができる。
【００１０】
（３）前記（１）によって、取っ手は装飾が施されているので、持ち運び時にポケットの飾りとなり、楽しく使用することができる。
【００１１】
（４）前記（１）によって、持ち運びを容易に行なうことができるので、使用分野を拡大できる。
【００１２】
（５）請求項２も前記（１）〜（４）と同様な効果が得られるとともに、挟着片が取っ手本体と一体であるため、確実に指先でつかむことができ、安定した状態で使用することができる。
【発明を実施するための最良の形態】
【００１３】
以下、図面に示す本発明を実施するための最良の形態により、本発明を詳細に説明する。
【００１４】
図１ないし図７に示す本発明を実施するための最良の第１の形態において、１は本発明の鼻眼鏡で、この鼻眼鏡１はフレーム２にレンズ３、３が取付けられた鼻眼鏡本体４と、この鼻眼鏡本体４の一方の端部のフレーム２より外方へ突出するように一体形成された、装飾５を施した取っ手６と、この取っ手６の背面に形成されたポケット７等へ挟着固定することができるクリップ８とで構成されている。
【００１５】
前記取っ手６は指先でつかみやすい大きさの各種形状で、表面には装飾用の模様９が形成されている。
【００１６】
前記クリップ８は前記取っ手６と同じ形状に形成された、該取っ手６の外側端部と挟着空間１０を有するように一体形成された挟着片１１と、この挟着片１１の外側面に形成されたスベリ止め用の凹凸部１２と、前記挟着空間１０にポケット７の縁部を挟着片１１とで挟着できるように、前記取っ手６の背面に取付けられた板スプリングをほぼＳ字状に曲げた弾性挟着片１３とで構成されている。
【００１７】
上記構成の鼻眼鏡１は図５および図６に示すように、服のポケット７にクリップ８で挟着して持ち歩く。この時、ポケット７の縁部７ａには取っ手６が位置し、該取っ手６は装飾５が施されているため、服の飾りになる。
使用する場合には、図７に示すように、取っ手６と挟着片１１とを指先でつまみ、ポケット７より引き出し、そのまま鼻眼鏡本体４を目に位置させることにより使用状態になる。
このため、容易で、かつ鼻眼鏡本体４を取っ手６によって、安定した状態に位置させて使用できる。
[発明を実施するための異なる形態]
【００１８】
次に、図８ないし図２０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図８ないし図１０に示す本発明を実施するための第２の形態において、前記本発明を実施するための最良の第１の形態と主に異なる点は、取っ手６の背面にクリップ８Ａをビス１４で固定した点で、このように構成した鼻眼鏡１Ａにしても、前記本発明を実施するための最良の第１の形態と同様な作用効果が得られる。
【００２０】
図１１ないし図１３に示す本発明を実施するための第３の形態において、前記本発明を実施するための最良の第１の形態と主に異なる点は、鼻眼鏡本体４の一端部のフレームに一体形成した皿状の装飾品取付部１５が形成された取っ手兼用のクリップ８Ｂと、この装飾品取付部１５に宝石や象嵌細工等を施した装飾品１６を固定した点で、このように構成した鼻眼鏡１Ｂにしても、前記本発明を実施するための最良の第１の形態と同様な作用効果が得られる。
【００２１】
図１４ないし図１６に示す本発明を実施するための第４の形態において、前記本発明を実施するための最良の第１の形態と主に異なる点は、長い取っ手６Aをクリップとして使用できるように鼻眼鏡本体４と重なり合うようにほぼ９０度回動できるように取り付け、取っ手６Aを鼻眼鏡本体４と重ね合わせることで、ポケット７等へ挟着固定できるようにした点で、このように構成した鼻眼鏡１Cにしても、前記本発明を実施するための最良の第１の形態と同様な作用効果が得られる。
なお、鼻眼鏡本体４を上下対称形状に形成したり、上下を逆にしても使用することができるデザインにし、長い取っ手６Aを収納状態から反時計方向に９０度回動させることにより右手で取っ手６Aをつかんで使用することができ、収納状態から時計方向に９０度回動させることにより左手で取っ手６Aをつかんで使用することができる左右兼用の鼻眼鏡にできる。
さらに、鼻眼鏡本体４に長い取っ手６Aを３６０度回動できるように取り付けることにより、長い取っ手６Aを使用者が最適に使用することができる位置まで回動させて使用することができる。
【００２２】
図１７ないし図２０に示す本発明を実施するための第５の形態において、前記本発明を実施するための第４の形態と主に異なる点は、フレーム２の左右のレンズ３、３間にヒンジ部材１７、１７を取り付けた鼻眼鏡本体４Aを用いた点で、このような鼻眼鏡本体４Aを用いて構成した鼻眼鏡１Dにしても、前記本発明を実施するための第４の形態と同様な作用効果が得られるとともに、鼻眼鏡本体４Aをヒンジ部材１７、１７部位で回動させ小さく畳むことによりペンダントトップとしても使用することができる。
【産業上の利用可能性】
【００２３】
本発明は鼻眼鏡を製造する産業で利用される。
【図面の簡単な説明】
【００２４】
【図１】本発明を実施するための最良の第１の形態の正面図。
【図２】本発明を実施するための最良の第１の形態の背面図。
【図３】本発明を実施するための最良の第１の形態の側面図。
【図４】本発明を実施するための最良の第１の形態の要部拡大断面図。
【図５】本発明を実施するための最良の第１の形態のポケットへ収納した状態の説明図。
【図６】図５の６−６線に沿う断面図。
【図７】本発明を実施するための最良の第１の形態の使用状態の説明図。
【図８】本発明を実施するための第２の形態の正面図。
【図９】本発明を実施するための第２の形態の背面図。
【図１０】本発明を実施するための第２の形態の側面図。
【図１１】本発明を実施するための第３の形態の正面図。
【図１２】本発明を実施するための第３の形態の背面図。
【図１３】本発明を実施するための第３の形態の側面図。
【図１４】本発明を実施するための第４の形態の正面図。
【図１５】本発明を実施するための第４の形態の使用状態の説明図。
【図１６】本発明を実施するための第４の形態のポケットへ収納した状態の説明図。
【図１７】本発明を実施するための第５の形態の正面図。
【図１８】本発明を実施するための第５の形態の平面図。
【図１９】本発明を実施するための第５の形態の使用状態の説明図。
【図２０】本発明を実施するための第５の形態のポケットへ収納した状態の説明図。
【符号の説明】
【００２５】
１、１Ａ、１Ｂ、１Ｃ：鼻眼鏡、            ２：フレーム、
３：レンズ、                                                ４：鼻眼鏡本体、
５：装飾、                                        ６、６Ａ：取っ手、
７：ポケット、                                ８、８Ａ、８Ｂ：クリップ、
９：模様、                                        １０：挟着空間、
１１：挟着片、                                １２：スベリ止め用の凹凸、
１３：弾性挟着片、                                    １４：ビス、
１５：装飾品取付部、                    １６：装飾品
１７：ヒンジ部材。
【図１】
2008292781.tif 000003
【図２】
2008292781.tif 000004
【図３】
2008292781.tif 000005
【図４】
2008292781.tif 000006
【図５】
2008292781.tif 000007
【図６】
2008292781.tif 000008
【図７】
2008292781.tif 000009
【図８】
2008292781.tif 000010
【図９】
2008292781.tif 000011
【図１０】
2008292781.tif 000012
【図１１】
2008292781.tif 000013
【図１２】
2008292781.tif 000014
【図１３】
2008292781.tif 000015
【図１４】
2008292781.tif 000016
【図１５】
2008292781.tif 000017
【図１６】
2008292781.tif 000018
【図１７】
2008292781.tif 000019
【図１８】
2008292781.tif 000020
【図１９】
2008292781.tif 000021
【図２０】
2008292781.tif 000022